【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
従来型ネットワークと直接相互接続ネットワークとの間のネットワークトラフィックのブリッジング、スイッチング、又はルーティングが可能な専用ネットワークゲートウェイデバイス（５０）であって、
ポート毎に単一のリンクを有する少なくとも１つの従来型ネットワークポート（１００）の第１のセットと、
ポート毎に少なくとも２つのリンクを有する少なくとも１つの直接相互接続ポート（１０２）の第２のセットと、
を備え、
前記従来型ネットワークポート（１００）の第１のセットは、従来型ネットワークを形成するスイッチ又はデバイスのうちの１つに接続され、前記少なくとも１つの直接相互接続ポート（１０２）の第２のセットは、前記直接相互接続ネットワークに接続される、デバイス（５０）。
【請求項２】
前記従来型ネットワークポート（１００）の第１のセットは、ＳＦＰ＋コネクタ、ＱＳＦＰコネクタ、及びＱＳＦＰ＋コネクタのうちの少なくとも１つを備える、請求項１に記載のデバイス（５０）。
【請求項３】
前記少なくとも１つの直接相互接続ポート（１０２）の第２のセットは、ＭＸＣコネクタ、ＭＴＰコネクタ、及びＭＴＯコネクタのうちの少なくとも１つを備える、請求項１に記載のデバイス（５０）。
【請求項４】
前記従来型ネットワークポート（１００）は、前記従来型ネットワーク内のスイッチポート及びルータポートのうちの少なくとも１つに接続される、請求項１に記載のデバイス（５０）。
【請求項５】
前記直接相互接続ポート（１０２）の第２のセットは、前記直接相互接続ネットワークの実装で使用される受動パッチパネル／ハブ（６０）に接続される、請求項１に記載のデバイス（５０）。
【請求項６】
前記直接相互接続ポート（１０２）の第２のセットは各々、固有の専用の直接相互接続の特定用途向け集積回路（ＡＳＩＣ１０４）、フィールドプログラマブルゲートアレイ（ＦＰＧＡ）、汎用プロセッサ、ネットワークプロセッサ、及び直接相互接続ネットワーク内のノードとして機能を果たすことができるデバイスのうちの少なくとも１つに接続される、請求項１に記載のデバイス（５０）。
【請求項７】
前記直接相互接続ポート（１０２）の第２のセットは各々、共有された直接相互接続の特定用途向け集積回路（ＡＳＩＣ１０４）、フィールドプログラマブルゲートアレイ（ＦＰＧＡ）、汎用プロセッサ、ネットワークプロセッサ、及び直接相互接続ネットワーク内のノードとして機能を果たすことができるデバイスのうちの少なくとも１つに接続される、請求項１に記載のデバイス（５０）。
【請求項８】
ブリッジング機能、スイッチング機能及びルーティング機能のうちの少なくとも１つは、ネットワークスイッチＡＳＩＣ、フィールドプログラマブルゲートアレイ（ＦＰＧＡ）、汎用プロセッサ、ネットワークプロセッサ、及びネットワークトラフィック転送を実行できるデバイスのうちの少なくとも１つによって実行される、請求項１に記載のデバイス（５０）。
【請求項９】
ブリッジング機能、スイッチング機能及びルーティング機能のうちの少なくとも１つは、ネットワークコントローラＡＳＩＣ、フィールドプログラマブルゲートアレイ（ＦＰＧＡ）、汎用プロセッサ、ネットワークプロセッサ、及びネットワークトラフィック転送を実行できるデバイスのうちの少なくとも１つによって実行される、請求項１に記載のデバイス（５０）。
【請求項１０】
前記ＡＳＩＣ、前記ＦＰＧＡ、前記汎用プロセッサ、及びノードのうちの少なくとも１つは、ローカルに送信先／送信元指定されたトラフィックが従来型ネットワークインタフェースラインを通じて送られる直接相互接続ノードとして機能することができる、請求項９に記載のデバイス（５０）。
【請求項１１】
前記直接相互接続ポートは、前記直接相互接続ネットワーク内のデバイスの代わりになる、請求項１に記載のデバイス（５０）。
【請求項１２】
前記直接相互接続ポートの第２のセットは、複数の直接相互接続ネットワークに接続される、請求項１に記載のデバイス（５０）。
【請求項１３】
従来型ネットワークと直接相互接続ネットワークとの間のネットワークトラフィックのブリッジング、スイッチング、及びルーティングのうちの少なくとも１つが可能である専用ネットワークゲートウェイデバイス（５０）であって、
直接相互接続ネットワークに接続されるように構成された直接相互接続ポートである第１のポートと、
従来型ネットワークを形成するスイッチ及びデバイスのうちの少なくとも１つに接続されるように構成された従来型ネットワークポートである第２のポートと、
を備える、デバイス（５０）。
【請求項１４】
前記第１のポートは、ＭＸＣコネクタ、ＭＴＰコネクタ、及びＭＴＯコネクタのうちの少なくとも１つを備える、請求項１３に記載のデバイス（５０）。
【請求項１５】
前記第２のポートは、ＳＦＰ＋コネクタ、ＱＳＦＰコネクタ、及びＱＳＦＰ＋コネクタのうちの少なくとも１つを備える、請求項１３に記載のデバイス（５０）。
【請求項１６】
前記第１のポートは、前記直接相互接続ネットワークの実装で使用される受動パッチパネル／ハブに接続される、請求項１３に記載のデバイス（５０）。
【請求項１７】
前記第２のポートは、前記従来型ネットワーク内におけるスイッチポート又はルータポートのうちの少なくとも１つに接続される、請求項１３に記載のデバイス（５０）。
【請求項１８】
従来型ネットワークと直接相互接続ネットワークとの間のネットワークトラフィックのブリッジング及びルーティングのうちの少なくとも１つのための専用ネットワークゲートウェイデバイス（５０）であって、
従来型ネットワークを形成するエンドデバイスに接続され、ポート毎に単一のリンクを有する従来型ネットワークポート（１００）の第１のセットと、
前記直接相互接続ネットワークに接続され、ポート毎に２又は３以上のリンクを有する直接相互接続ポート（１０２）の第２のセットと、
を備え、前記直接相互接続ネットワークは、ネットワークトラフィックが前記専用ネットワークゲートウェイデバイス（５０）から別の専用ネットワークゲートウェイデバイス（５０）にルーティングすることを可能にするバックボーンとして機能し、前記別の専用ネットワークゲートウェイデバイスは、
第２の従来型ネットワークを形成するエンドデバイスに接続され、ポート毎に単一のリンクを有する従来型ネットワークポート（１００）の第１のセットと、
前記直接相互接続ネットワークに接続され、ポート毎に２又は３以上のリンクを有する直接相互接続ポート（１０２）の第２のセットと、
を備える、ことを特徴とするデバイス（５０）。
【請求項１９】
従来型ネットワークと直接相互接続ネットワークとの間のネットワークトラフィックのブリッジング、スイッチング、及びルーティングのうちの少なくとも１つのための専用ネットワークゲートウェイデバイス（５０）であって、
従来型ネットワークを形成するスイッチ及びデバイスのうちの少なくとも１つに接続され、ポート毎に単一のリンクを有する少なくとも１つの従来型ネットワークポート（１００）の第１のセットと、
直接相互接続ネットワークに接続され、ポート毎に１又は２以上のリンクを有する少なくとも１つの直接相互接続ポート（１０２）の第２のセットと、
単一の直接相互接続ノードとして機能するように論理的に関連付けられた複数の直接相互接続ポートと、
を備える、デバイス（５０）。
【請求項２０】
従来型ネットワークと直接相互接続ネットワークとの間のネットワークトラフィックのブリッジング、スイッチング、及びルーティングのうちの少なくとも１つを行うコンピュータ実装方法であって、
前記直接相互接続ネットワーク内の１又は２以上のノードとして機能する請求項１に記載の前記専用ゲートウェイデバイス（５０）を前記従来型ネットワーク及び前記直接相互接続ネットワークに接続するステップと、
前記ゲートウェイデバイス（５０）を用いて、前記ネットワークトラフィックのヘッダ又はコンテンツに基づいて前記従来型ネットワークと前記直接相互接続ネットワークとの間で前記ネットワークトラフィックを転送するステップと、
を含む、コンピュータ実装方法。
【請求項２１】
２以上のゲートウェイデバイス（５０）によって、従来型ネットワークに位置するリソースがアクセス可能である場合に、どのゲートウェイデバイス（５０）が前記リソースにアクセスできるようにする能力を有するかを調整するコンピュータ実装方法であって、
ＡＲＰ、ブロードキャスト、マルチキャスト、又はエニーキャストトラフィックを直接相互接続ポートで受信するステップであって、前記トラフィックが、前記従来型ネットワークに位置する前記リソースへのアクセスを要求し、前記直接相互接続ポートが、１又は２以上のホップを介して前記２以上のゲートウェイデバイスにリンクされ、前記ゲートウェイデバイスの各々が前記リソースへのアクセスを可能にすることができるステップと、
前記２以上のゲートウェイデバイスから、前記リソースへのアクセスを可能にすべき最適なゲートウェイデバイスポートを計算するステップと、
前記トラフィックと、前記直接相互接続ノードと、前記計算された最適ゲートウェイデバイスポートとの間の関連付け情報を生成するステップと、
前記関連付け情報を前記２以上のゲートウェイデバイスの各々に伝達して、前記計算された最適ゲートウェイデバイスポートが前記リソースにアクセスできるように確保するステップと、
を含む、コンピュータ実装方法。
【請求項２２】
前記リソースへのアクセスを可能にすべき最適なゲートウェイデバイスポートを計算するステップは、前記２以上のゲートウェイデバイスポートのうちのどれが、前記直接相互接続ポートに最も近いかを判定するステップを含む、請求項２１に記載のコンピュータ実装方法。
【請求項２３】
前記リソースへのアクセスを可能にすべき最適なゲートウェイデバイスポートを計算するステップは、合意アルゴリズムを使用して前記トラフィックの整合性を保証するステップを含む、請求項２１に記載のコンピュータ実装方法。
【請求項２４】
前記関連付け情報を伝達するステップは、専用又は共有された調整バスによって処理される、請求項２１に記載のコンピュータ実装方法。